(57)【要約】【課題】各ユーザーのウェブサイトの宣伝広告効果を高めることが可能となるなど実用性に秀れたアフィリエイトシステムの提供。【解決手段】商品の名称，価格及び画像データを含む商品データとユーザーＩＤ及びパスワードが対応付けて登録されたユーザーデータとを格納する記憶装置と、ユーザーＩＤ及びパスワードを識別してユーザーによる画像データのアドレス情報の取得を許可するアドレス情報取得許可手段とを備えたサーバーから成り、ユーザーが自己のウェブサイトに画像データを表示して広告を行うアフィリエイトシステムであって、ユーザーＩＤを複数のグループに分けてユーザーデータに登録し、一のユーザーが画像データを修正変更した際、同一グループ内の他のユーザーが自己のウェブサイトに表示する画像データも共に修正変更されるように構成する。【選択図】図２
2008181326.tif 000002
【特許請求の範囲】
【請求項１】
少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品の画像データを表示させて商品の広告を行うアフィリエイトシステムであって、前記ユーザーＩＤを複数のグループに分けて前記ユーザーデータに登録し、前記サーバーには、前記ユーザーＩＤ及びパスワードが前記入力画面に入力された際、このユーザーＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステム。
【請求項２】
少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品の画像データを表示させて商品の広告を行うアフィリエイトシステムであって、前記ユーザーＩＤを複数のグループに分けて前記ユーザーデータに登録し、前記サーバーには、各グループに夫々少なくとも１つずつ前記画像データの修正変更が許可されるユーザーＩＤを設定し、この画像データの修正変更が許可されるユーザーＩＤ及びパスワードが前記入力画面に入力された際、このユーザーＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステム。
【請求項３】
各グループ内の所定の一のユーザーＩＤ及びパスワードが前記入力画面に入力された場合にのみ、画像データの修正変更を許可するように前記画像データ修正変更許可手段を構成したことを特徴とする請求項１，２のいずれか１項に記載のアフィリエイトシステム。
【請求項４】
少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品に関する記事及び前記商品の画像データを表示させて商品の広告を行うアフィリエイトシステムであって、前記ユーザーＩＤを複数のグループに分けて前記ユーザーデータに登録し、各グループの夫々少なくとも１人のユーザーには、前記画像データの修正変更が許可される画像修正許可ＩＤが付与されており、前記サーバーには、前記端末に前記画像修正許可ＩＤ及びパスワードを入力する入力画面を送信しこの入力画面に入力された前記画像修正許可ＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステム。
【請求項５】
各グループ内の所定の一のユーザーにのみ前記画像修正許可ＩＤを付与したことを特徴とする請求項４記載のアフィリエイトシステム。
【請求項６】
商品データは商品の販売期間、目標販売数量及び追加報酬を含み、販売期間内で目標販売数量を販売したグループの各ユーザーの口座に、夫々追加報酬を振り込む追加報酬振込手段を前記サーバーに設けたことを特徴とする請求項１〜５のいずれか１項に記載のアフィリエイトシステム。
【請求項７】
各ユーザーの商品の販売量に応じて前記追加報酬を自動分配するように前記追加報酬振込手段を構成したことを特徴とする請求項６記載のアフィリエイトシステム。
【請求項８】
前記画像データ自動書換手段は、いずれかの画像データを修正画像データに修正変更して記憶装置に格納すると共に他のユーザーの画像データを修正画像データに書き換えるか若しくは定期的に各画像データを照合し、いずれかの画像データが修正画像データに修正変更されていた場合に、他の画像データを修正画像データに書き換えるように構成したことを特徴とする請求項１〜７のいずれか１項に記載のアフィリエイトシステム。
【発明の詳細な説明】
【技術分野】
【０００１】
本発明は、アフィリエイトシステムに関するものである。
【背景技術】
【０００２】
近年、インターネットを介してウェブサイト（ショッピングモール等）にアクセスしてショッピングを行うオンラインショッピングが急速に普及しているが、このオンラインショッピングにおける広告手法として例えば特許文献１に開示されるようなアフィリエイトシステムが注目されている。
【０００３】
このアフィリエイトシステムは、アフィリエイトサービスプロバイダに登録したユーザー（アフィリエイター）に広告を行わせてその効果に応じて広告主が報酬を与える所謂成果保証型広告の一種であり、コスト対効果が高く、急速に普及している。
【０００４】
例えば、ユーザーは、自己の運営するウェブサイト上に商品の紹介文や感想などの記事と共にショッピングモール等へのリンク先ＵＲＬが設定された商品の画像（画像データはサーバーの記憶装置内の所定のアドレスに格納されている）を表示して、この商品に興味を持った消費者が商品の画像をクリックすることで広告する商品を販売するショッピングモール等へ誘導できるようにして広告を行っている。
【０００５】
【特許文献１】特開２００５−１６５３９４号公報
【発明の開示】
【発明が解決しようとする課題】
【０００６】
しかしながら、多くのユーザーは毎月数千円程度の報酬しか得られていないのが現状であり、宣伝広告手段として現実に役立っているユーザーは少ない。これは、多くのユーザーが一旦入手した商品の画像データを修正変更せず、そのままウェブサイトに貼り付けっ放しにし、商品の売れ行き・在庫状況等に応じて画像データを修正変更することがなく、値引きやバーゲンセール等を的確に行えていないためであると考えられる。
【０００７】
一方で、商品の売れ行き・在庫状況等に応じて値引きやバーゲンセール等を的確に行え、また、秀れたセールス文を表示する等のノウハウを持ち、極めて宣伝広告能力に秀れたユーザーも少数存在し、高額の報酬を得ている。
【０００８】
本発明は、上述のような現状に鑑み、更新の時間があまりとれないユーザーであっても、例えば宣伝広告能力に秀れたユーザーと画像データを共有することで、自己で画像データの修正変更を行わなくても、一の宣伝広告能力に秀れたユーザーにより他のユーザーのウェブサイト上の商品の画像を常に適切な価格やセールス文等が表示される画像に更新することができ、極めて効率的に各ユーザーのウェブサイトの宣伝広告効果を高めると共に各ユーザーがより多くの報酬を得ることが可能な極めて実用性に秀れたアフィリエイトシステムを提供するものである。
【課題を解決するための手段】
【０００９】
添付図面を参照して本発明の要旨を説明する。
【００１０】
少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品の画像データを表示させて商品の広告を行うアフィリエイトシステムであって、前記ユーザーＩＤを複数のグループに分けて前記ユーザーデータに登録し、前記サーバーには、前記ユーザーＩＤ及びパスワードが前記入力画面に入力された際、このユーザーＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステムに係るものである。
【００１１】
また、少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品の画像データを表示させて商品の広告を行うアフィリエイトシステムであって、前記ユーザーＩＤを複数のグループに分けて前記ユーザーデータに登録し、前記サーバーには、各グループに夫々少なくとも１つずつ前記画像データの修正変更が許可されるユーザーＩＤを設定し、この画像データの修正変更が許可されるユーザーＩＤ及びパスワードが前記入力画面に入力された際、このユーザーＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステムに係るものである。
【００１２】
また、各グループ内の所定の一のユーザーＩＤ及びパスワードが前記入力画面に入力された場合にのみ、画像データの修正変更を許可するように前記画像データ修正変更許可手段を構成したことを特徴とする請求項１，２のいずれか１項に記載のアフィリエイトシステムに係るものである。
【００１３】
また、少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品に関する記事及び前記商品の画像データを表示させて商品の広告を行うアフィリエイトシステムであって、前記ユーザーＩＤを複数のグループに分けて前記ユーザーデータに登録し、各グループの夫々少なくとも１人のユーザーには、前記画像データの修正変更が許可される画像修正許可ＩＤが付与されており、前記サーバーには、前記端末に前記画像修正許可ＩＤ及びパスワードを入力する入力画面を送信しこの入力画面に入力された前記画像修正許可ＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したことを特徴とするアフィリエイトシステムに係るものである。
【００１４】
また、各グループ内の所定の一のユーザーにのみ前記画像修正許可ＩＤを付与したことを特徴とする請求項４記載のアフィリエイトシステムに係るものである。
【００１５】
また、商品データは商品の販売期間、目標販売数量及び追加報酬を含み、販売期間内で目標販売数量を販売したグループの各ユーザーの口座に、夫々追加報酬を振り込む追加報酬振込手段を前記サーバーに設けたことを特徴とする請求項１〜５のいずれか１項に記載のアフィリエイトシステムに係るものである。
【００１６】
また、各ユーザーの商品の販売量に応じて前記追加報酬を自動分配するように前記追加報酬振込手段を構成したことを特徴とする請求項６記載のアフィリエイトシステムに係るものである。
【００１７】
また、前記画像データ自動書換手段は、いずれかの画像データを修正画像データに修正変更して記憶装置に格納すると共に他のユーザーの画像データを修正画像データに書き換えるか若しくは定期的に各画像データを照合し、いずれかの画像データが修正画像データに修正変更されていた場合に、他の画像データを修正画像データに書き換えるように構成したことを特徴とする請求項１〜７のいずれか１項に記載のアフィリエイトシステムに係るものである。
【発明の効果】
【００１８】
本発明は、上述のように構成したから、一のユーザーが修正変更を行うことで他のユーザーは一切画像データの修正変更にタッチすることなく、極めて効率的にウェブサイト上の商品の画像を常に適切な価格やセールス文が表示される画像に更新でき、各ユーザーのウェブサイトの宣伝広告効果を高めると共に各ユーザーがより多くの報酬を得ることが可能な極めて実用性に秀れたアフィリエイトシステムとなる。
【発明を実施するための最良の形態】
【００１９】
好適と考える本発明の実施形態（発明をどのように実施するか）を、図面に基づいて本発明の作用を示して簡単に説明する。
【００２０】
ユーザーが端末を操作してサーバーで運営されるショッピングモール等にアクセスし、このショッピングモールにユーザー毎に付与された所定のユーザーＩＤでログインし、このショッピングモールの商品カタログから好きな商品を選択してこの商品を広告することを決定すると、この商品の画像データ（商品リンク）のアドレス情報（ＵＲＬ）をサーバーから取得することができる。そして、この商品の画像データのアドレス情報を、自己が運営するウェブサイトに挿入し、サーバーの記憶装置に格納される前記商品の画像をウェブサイトに表示する。尚、画像データは、ウェブサイトに表示される画像をクリックすることでショッピングモールの商品購入画面へと移動するようにリンク先ＵＲＬが設定されている。また、画像データのアドレス情報は、自動的にユーザーＩＤを加えた形のアドレス情報に設定され、消費者がどのユーザーのウェブサイトに表示された画像からショッピングモールに移動し、その商品を購入したかを判別できるようにする。
【００２１】
また、ウェブサイトに表示する画像を修正変更したい場合、例えば販売価格の修正や、セールス文を付与または変更したい場合には、画像データ修正変更許可手段によって画像データの修正変更が許可されたユーザーが、前記サーバーの記憶装置に格納される商品の画像データの修正変更を行う。この際、例えば各グループに１つずつ画像データの修正変更が許可されるユーザーＩＤを設定し、このユーザーＩＤが付与されたユーザーをリーダーとして、画像データの修正変更を任せることで、他のユーザーはこの画像データの修正変更を行うことなく、リーダーが適宜設定した画像データにより常に適切な宣伝広告を行うことが可能となり、リーダーのノウハウとグループによる広い間口での宣伝広告により極めて秀れた宣伝広告効果が得られることになる。
【００２２】
また、例えば、商品データに、商品の販売期間、目標販売数量、追加報酬を含めておき、各グループで販売期間内で目標販売数量を販売した場合には、追加報酬（ボーナス）がユーザーの口座に振り込まれるように設定し、また、商品の販売量に応じて前記追加報酬を自動分配するようにした場合には、より一層高い宣伝広告効果が得られ、広告主の利益及びユーザーの報酬の増加の双方に寄与できる。従って、少数の秀れた宣伝広告能力を有するユーザーのノウハウをより多くのユーザーで共有して商品の宣伝広告効果を飛躍的に高めることが可能となり、秀れた宣伝広告能力を有するユーザーはより多くの報酬を手にすることができ、更新等を頻繁に行えない大多数のユーザーも手間をかけることなく得られる報酬を増加させることが可能となる。
【実施例】
【００２３】
本発明の具体的な実施例について図面に基づいて説明する。
【００２４】
本実施例は、少なくとも商品の名称，価格及び画像データを含む商品データとユーザー毎に付与されるユーザーＩＤ及びパスワードが対応付けて登録されたユーザーデータとを格納する記憶装置と、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するアドレス情報取得許可手段とを備えたサーバーから成り、ユーザーが自己のウェブサイトに前記商品の画像データを表示させて商品の広告を行うアフィリエイトシステムであって、前記ユーザーＩＤを複数のグループに分けて前記ユーザーデータに登録し、前記サーバーには、各グループに夫々少なくとも１つずつ前記画像データの修正変更が許可されるユーザーＩＤを設定し、この画像データの修正変更が許可されるユーザーＩＤ及びパスワードが前記入力画面に入力された際、このユーザーＩＤ及びパスワードを識別してユーザーによる前記画像データの修正変更を許可する画像データ修正変更許可手段と、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換える画像データ自動書換手段とを設けて、一のユーザーが前記画像データを修正変更した際、同一グループ内の他のユーザーが自己のウェブサイトに表示する画像データも共に修正変更されるように構成したものである。
【００２５】
具体的には、各グループ内の所定の一のユーザーＩＤ及びパスワードが前記入力画面に入力された場合にのみ、画像データ（商品リンク）の修正変更を許可するように前記画像データ修正変更許可手段を構成している（この画像データの修正変更を許可されたユーザーＩＤが付与されたユーザーを以下、リーダーという。）。
【００２６】
また、本実施例においては、商品データは更に商品の販売期間、目標販売数量及び追加報酬を含み、販売期間内で目標販売数量を販売したグループのユーザーの口座に、追加報酬を振り込む追加報酬振込手段を前記サーバーに設けている。更に、各ユーザーの商品の販売量に応じて前記追加報酬を自動分配するように前記追加報酬振込手段を構成している。
【００２７】
各部を具体的に説明する。
【００２８】
サーバーは一般的な機能と上記各手段を備えたものである。具体的には、ハードディスク等の記憶装置に格納されたプログラムに基づいてＣＰＵ等の演算処理部が上記各手段として機能するように構成している。また、端末は、一般的な機能を備えたＰＣや携帯電話である。
【００２９】
アドレス情報取得許可手段は、ユーザーが端末からサーバーが運営するショッピングモール（商品販売モール）等にアクセスした際、端末に前記ユーザーＩＤ及びパスワードを入力する入力画面を送信しこの入力画面に入力された前記ユーザーＩＤ及びパスワードを識別してユーザーによる前記画像データのアドレス情報の取得を許可するように構成している。具体的には、記憶装置に対応付けて格納されたユーザーＩＤとパスワードとが一致した場合にはユーザーのショッピングモールへのログインを許可すると共に、画像データのアドレス情報（ＵＲＬ）を取得するためのアドレス情報取得画面を表示可能とするように構成している。そして、ユーザーがこのアドレス情報を自己のウェブサイト（ホームページ）を構成するＨＴＭＬ文に挿入することで、ウェブサイト上に商品の画像を表示できることになる。この商品の画像データには、少なくとも、商品画像、商品の価格及びセールス文等の文章が含まれており、ショッピングモールの商品を購入する（買い物カゴに入れる）画面へと転送するリンク先ＵＲＬが設定されている。
【００３０】
画像データ修正変更許可手段は、画像データの修正変更が許可された各グループ内の所定の一のユーザー（リーダー）のユーザーＩＤ及びパスワードが前記入力画面に入力されこのユーザーＩＤ及びパスワードが識別された場合にのみ、リーダーによる前記画像データの修正変更を許可するように構成している。具体的には、記憶装置に対応付けて格納されたユーザーＩＤとパスワードとが一致した場合にはリーダーのログインを許可すると共に、商品の価格及び文章を変更するための画像データ修正変更画面を表示可能とするように構成している（即ち、リーダー以外の他のユーザー（以下、メンバーという。）はログインしても画像データ修正変更画面を表示することはできない。）。この画像データ修正変更画面で商品の価格及び文章を変更すると記憶装置にこの修正変更後の修正画像データが格納される。尚、画像データに含まれる商品画像そのものは修正可能に構成しても良いし、修正不能に構成しても良い。即ち、入力画面に入力されたユーザーＩＤから、ログインしたユーザーがリーダー（画像データのアドレスの取得及び画像データの修正変更が可能）かメンバー（画像データのアドレスの取得のみ可能）かを判断するように構成している。
【００３１】
尚、ユーザーＩＤとは異なる画像修正許可ＩＤをリーダーに付与して、前記サーバーには、前記端末に前記画像修正許可ＩＤ及びパスワードを入力する入力画面を送信しこの入力画面に入力された前記画像修正許可ＩＤ及びパスワードを識別してリーダーによる前記画像データの修正変更を許可する画像データ修正変更許可手段を設ける構成としても良い。即ち、例えば画像データ修正変更画面を表示しようとした際に端末に前記画像修正許可ＩＤ及びパスワードを入力する入力画面が表示されるようにして、上記ユーザーＩＤに加えて前記画像修正許可ＩＤ及びパスワードを識別した場合にのみ画像データの修正変更が許可されるように構成しても良い。
【００３２】
画像データ自動書換手段は、一のユーザーによりこのユーザーが取得したアドレスに格納される前記画像データが修正変更された際、同一グループ内の他のユーザーが取得したアドレスに格納される画像データを自動的に前記修正変更後の修正画像データに書き換えるように構成している。具体的には、前記画像データ自動書換手段は、いずれかの画像データを修正画像データに修正変更して記憶装置に格納すると共に他のユーザーの画像データを修正画像データに書き換えるか若しくは定期的に各画像データを照合し、いずれかの画像データが修正画像データに修正変更されていた場合に、他の画像データを修正画像データに書き換えるように構成している。本実施例においては、リーダーが画像データを修正画像データに修正変更して記憶装置に格納すると共に（画像データの更新の決定と共に）メンバーの画像データを修正画像データに書き換えるように構成している。
【００３３】
追加報酬振込手段は、卸店が登録した所定の販売期間内で目標販売数量を販売したグループの各ユーザーの口座に、追加報酬を振り込むように構成している。尚、サーバーの記憶装置には、ユーザーデータとして報酬振込用の口座番号が登録されている。この追加報酬は、各ユーザーの商品の販売量に応じて自動分配される。具体的には、リーダーやメンバーに販売数量に応じたランクをつけ、このランクに応じて追加報酬が自動分配されるように構成している。尚、ランクを付けず、グループ全体での販売数量に対する各ユーザーの販売数量の割合に応じて自動分配するように構成しても良い。
【００３４】
更に具体的な構成例を図１〜８を参照に説明する。
【００３５】
本実施例は、図１に図示したような従来のアフィリエイトシステム、即ち、個人の売り上げに対して報酬を支払うものと異なり、図２〜４に図示したようにグループを構成するユーザーが共同で販売を行うものである。即ち、上述のように、グループ内で商品の画像データ（商品リンク、図８参照）を共有し、リーダーがこの画像データの修正変更を行うとメンバーが自己のホームページで表示する商品画像が共に修正変更されるように構成して、リーダー及びメンバーは、自己のホームページを閲覧した消費者が商品画像をクリックして販売モールへと移動してその商品を購入した場合の成果報酬及びグループの販売目標数量を達成した場合の追加報酬を得ることができるものである。また、図２において、リーダーが商品を仕入れる場合には、消費者による商品の代金の支払い先をリーダーとしても良い。また、メンバーはサーバーから直接商品リンクを仕入れても良い。
【００３６】
具体的には、図５に図示したように、卸店がブラウザからインターネットを介して販売モールの商品登録画面を閲覧し、販売モールの商品登録画面を表示させて商品名、価格、ノルマ、報酬、画像等の商品データを登録することでサーバーの記憶装置に商品データが格納される。そして、各グループのリーダーが、ブラウザからインターネットを介して販売モールの商品カタログ表示画面を閲覧し、販売したい商品を選択し、販売価格及びセールス文を設定すると、サーバーの記憶装置内のグループ販売商品データに商品データが格納される。そして、この商品データがグループ販売商品データに格納されると、このグループ販売商品データ内にグループ販売用画像データ（上記既存の商品画像に販売価格及びセールス文を付記した画像データ）が自動生成される。即ち、商品の画像データは、基本的なスタイル（画像＋販売価格＋セールス文）が決まっており、グループ販売商品データ内の、販売価格及びセールス文を変更することで、画像データが変更されることになる。
【００３７】
また、図６に図示したように、メンバーは、ブラウザからインターネットを介して販売モールのグループ販売商品データ表示画面を閲覧し、リーダーが選択した商品を選択すると、メンバーのユーザーＩＤを付与した商品の画像データ（グループ販売用画像データ）のアドレス（ＵＲＬ）がＨＴＭＬ文で表示される。このＨＴＭＬ文をメンバーが自己のウェブサイト（ホームページを構成するＨＴＭＬ文）に付加することで、メンバーのホームページにサーバーに格納される商品の画像データが表示される。
【００３８】
また、販売価格やセールス文を修正変更する場合には、図７に図示したように、リーダーがブラウザからインターネットを介して販売モールのグループ販売商品データ表示画面を閲覧し、グループ販売商品データのうち販売価格やセールス文を修正変更して更新すると、この新しい販売価格及びセールス文が修正変更されたグループ販売用画像データが生成される。尚、この画像データのアドレスは変わらない。これにより、メンバーのホームページに表示されている商品画像は、修正変更後のグループ販売用画像データを参照することにより、自動的に表示内容が更新されることになる。
【００３９】
従って、例えば以下のような流れでアフィリエイトを行える。ユーザーは、アフィリエイト登録の後、幾つかのグループから自分が所属するグループを選択して参加申請し、グループに所属してグループのリーダーが指定する商品をホームページ上で販売（広告）し、各ユーザーの売り上げを把握し在庫・期間・季節等に応じてリーダーが販売価格やセールス文を適宜更新して、目標販売数を達成することで、追加報酬を得ることができ、これをグループ内で分配し、販売成績に応じてランク（追加報酬の配分率）がアップする。尚、リーダーのランクが最も高く、メンバーがリーダーと同率の追加報酬を得ることはないように設定する。
【００４０】
本実施例は上述のように構成したから、少数の秀れた宣伝広告能力を有するユーザーのノウハウをより多くのユーザーで共有して商品の宣伝広告効果を飛躍的に高めることが可能となり、秀れた宣伝広告能力を有するユーザーはより多くの報酬を手にすることができ、更新等を頻繁に行えない大多数のユーザーも手間をかけることなく得られる報酬を増加させることが可能となる。
【００４１】
尚、本発明は、本実施例に限定されるものではなく、各構成要件の具体的構成は適宜設計し得るものである。
【図面の簡単な説明】
【００４２】
【図１】従来例の概略説明図である。
【図２】本実施例の概略説明図である。
【図３】本実施例の概略説明図である。
【図４】図２，３に示した商品リンクの更新の概略説明図である。
【図５】図４に示した商品リンクの更新の説明図である。
【図６】図４に示した商品リンクの更新の説明図である。
【図７】図４に示した商品リンクの更新の説明図である。
【図８】商品リンクの概略説明図である。
【図１】
2008181326.tif 000003
【図２】
2008181326.tif 000004
【図３】
2008181326.tif 000005
【図４】
2008181326.tif 000006
【図５】
2008181326.tif 000007
【図６】
2008181326.tif 000008
【図７】
2008181326.tif 000009
【図８】
2008181326.tif 000010